(57)【要約】【課題】ベース編地部の途中に形成される開口部の近傍に設けられ、開口部の外方側に折り返されてベース編地部に重なるエッジ編地部を備える編地を提供する。【解決手段】エッジ編地部２は、第１ピース２１、第２ピース２２、および第３ピース２３からなる。第１ピース２１および第２ピース２２は、その編幅方向端部ｅ−ｇ，ｉ−ｋがベース編地部１に接続され、第３ピース２３は、そのウエール方向端部ｌ−ｍがベース編地部１に接続されている。また、第１ピース２１のウエール方向端部ｇ−ｆと、第３ピース２３の編幅方向端部ｌ−ｎと、が接続され、かつ第２ピース２２のウエール方向端部ｋ−ｊと、第３ピース２３の編幅方向端部ｍ−ｏと、が接続される。【選択図】図３
2014080696.tif 000002
【特許請求の範囲】
【請求項１】
少なくとも前後一対の針床を備え、前後の針床間で編目の目移しが可能な横編機を用いて編成された編地であって、開口部を有するベース編地部と、前記開口部の周縁部近傍の位置で前記ベース編地部に一体に編成されるエッジ編地部と、を備える編地において、
前記エッジ編地部は、
前記開口部近傍における前記ベース編地部のウエール方向一端側で、かつ前記ベース編地部の編幅方向一端側に配置される第１ピースと、
前記開口部近傍における前記ベース編地部のウエール方向一端側で、かつ前記ベース編地部の編幅方向他端側に配置される第２ピースと、
前記開口部近傍における前記ベース編地部のウエール方向他端側に配置される第３ピースと、からなり、
前記第１ピースおよび前記第２ピースは、その編幅方向の端部が前記ベース編地部に接続され、
前記第３ピースは、そのウエール方向の端部が前記ベース編地部に接続されており、
前記第１ピースのウエール方向他端側の端部と、前記第３ピースの編幅方向一端側の端部と、が接続され、かつ前記第２ピースのウエール方向他端側の端部と、前記第３ピースの編幅方向他端側の端部と、が接続されることで、前記エッジ編地部が前記開口部の外方側に折り返されて前記ベース編地部に重なることを特徴とする編地。
【請求項２】
前記第１ピースと前記第３ピースとの接続、および前記第２ピースと前記第３ピースとの接続が、編成によって無縫製に行なわれていることを特徴とする請求項１に記載の編地。
【請求項３】
前記エッジ編地部は、前記開口部の周縁部よりも外方側に接続されていることを特徴とする請求項１または２に記載の編地。
【請求項４】
前記ベース編地部における前記エッジ編地部の接続部から前記開口部の周縁部に至る縁部領域が、前後の針床を用いた両面編みによって編成されていることを特徴とする請求項３に記載の編地。
【請求項５】
少なくとも前後一対の針床を備え、前後の針床間で編目の目移しが可能な横編機を用いて、開口部を有するベース編地部を編成すると共に、前記ベース編地部の編成途中に、前記開口部の周縁部近傍の位置で前記ベース編地部に接続されるエッジ編地部を編成する編地の編成方法において、
下記条件［α］〜［γ］に従って前記エッジ編地部を、
前記開口部近傍における前記ベース編地部のウエール方向一端側で、かつ前記ベース編地部の編幅方向一端側に接続される第１ピースと、
前記開口部近傍における前記ベース編地部のウエール方向一端側で、かつ前記ベース編地部の編幅方向他端側に接続される第２ピースと、
前記開口部近傍における前記ベース編地部のウエール方向他端側に接続される第３ピースと、に分けて編成することを特徴とする編地の編成方法。
［α］前記第１ピースは前記ベース編地部の裏側の位置で編成すると共に、前記第１ピースの編幅方向他端側の端部を前記ベース編地部に繋げる。
［β］前記第２ピースは前記ベース編地部の裏側の位置で編成すると共に、前記第２ピースの編幅方向一端側の端部を前記ベース編地部に繋げる。
［γ］前記第３ピースは前記ベース編地部の裏側の位置で編成すると共に、前記第３ピースのウエール方向一端側の端部を前記ベース編地部に繋げる。
【請求項６】
少なくとも前後一対の針床を備え、前後の針床間で編目の目移しが可能な横編機を用いて、開口部を有するベース編地部を編成すると共に、前記ベース編地部の編成途中に、前記開口部の周縁部近傍の位置で前記ベース編地部に接続されるエッジ編地部を編成する編地の編成方法において、
下記条件［δ］〜［ζ］に従って前記エッジ編地部を、
前記開口部近傍における前記ベース編地部のウエール方向一端側で、かつ前記ベース編地部の編幅方向一端側に接続される第１ピースと、
前記開口部近傍における前記ベース編地部のウエール方向一端側で、かつ前記ベース編地部の編幅方向他端側に接続される第２ピースと、
前記開口部近傍における前記ベース編地部のウエール方向他端側に接続される第３ピースと、に分けて編成することを特徴とする編地の編成方法。
［δ］前記第１ピースの少なくとも一部は、前記ベース編地部の開口部に重複する位置で編成すると共に、前記第１ピースの編幅方向一端側の端部を前記ベース編地部に繋げる。
［ε］前記第２ピースの少なくとも一部は、前記ベース編地部の開口部に重複する位置で編成すると共に、前記第２ピースの編幅方向他端側の端部を前記ベース編地部に繋げる。
［ζ］前記第３ピースは前記ベース編地部の裏側で、前記ベース編地部に重複する位置で編成すると共に、前記第３ピースのウエール方向一端側の端部を前記ベース編地部に繋げる。
【発明の詳細な説明】
【技術分野】
【０００１】
本発明は、開口部を有するベース編地部と、そのベース編地部の開口部の周縁部近傍の位置でベース編地部に一体に編成されるエッジ編地部と、を備える編地、およびその編地の編成方法に関する。
【背景技術】
【０００２】
横編機を用いて、途中に開口部を有するベース編地部と、そのベース編地部と異なる風合いを有し、前記開口部の周縁部に形成されるエッジ編地部と、を備える編地を編成することが行なわれている。例えば、特許文献１には、身頃（ベース編地部）のネックホール（開口部）に衿（エッジ編地部）を設けたセーター（編地）と、その編成方法が開示されている。
【０００３】
この特許文献１では、前身頃の下端（裾）から編成を開始し、前身頃と後身頃の境界近傍でネックホールを形成すると共に、そのネックホールの周縁部に衿を編成している。続いて、後身頃の上端から下端（裾）に向かって後身頃を編成し、後身頃の下端で編成を終了している。
【先行技術文献】
【特許文献】
【０００４】
【特許文献１】特許第２５９４５０４号公報
【発明の概要】
【発明が解決しようとする課題】
【０００５】
上記特許文献１の技術では、立衿（ｓｔａｎｄ−ｕｐ  ｃｏｌｌａｒ）などの筒状に延びる衿を編成することができるが、例えばポロシャツなどの折り衿のように、ネックホール（開口部）の外方側に折り返されて身頃（ベース編地部）に重なる立体的な衿（エッジ編地部）を、身頃と一体に編成することができない。そのため、従来、そのような立体的な衿を身頃に設ける場合、身頃とは別に編成した衿をリンキング（縫製）などで身頃に接続している。
【０００６】
本発明は、上記事情に鑑みてなされたものであり、その目的は、ベース編地部の途中に形成される開口部の近傍に設けられ、開口部外方側に折り返されてベース編地部に重なる立体的なエッジ編地部を備える編地、およびその編地を編成するための編地の編成方法を提供することにある。
【課題を解決するための手段】
【０００７】
本発明の編地は、少なくとも前後一対の針床を備え、前後の針床間で編目の目移しが可能な横編機を用いて編成された編地であって、開口部を有するベース編地部と、開口部の周縁部近傍の位置でベース編地部に一体に編成されるエッジ編地部と、を備える。この本発明の編地に備わるエッジ編地部は、第１ピース、第２ピース、および第３ピースからなり、開口部の外方に折り返されてベース編地部に重なる。各ピースの定義、および接続関係は次の通りである。
・第１ピースは、開口部近傍におけるベース編地部のウエール方向一端側で、かつベース編地部の編幅方向一端側に配置される。
・第２ピースは、開口部近傍におけるベース編地部のウエール方向一端側で、かつベース編地部の編幅方向他端側に配置される。
・第３ピースは、開口部近傍におけるベース編地部のウエール方向他端側に配置される。
・第１ピースおよび第２ピースは、その編幅方向の端部がベース編地部に接続され、第３ピースは、そのウエール方向の端部がベース編地部に接続されている。
・第１ピースのウエール方向他端側の端部と、第３ピースの編幅方向一端側の端部と、が接続され、かつ第２ピースのウエール方向他端側の端部と、第３ピースの編幅方向他端側の端部と、が接続される。
【０００８】
本発明の編地として、第１ピースと第３ピースとの接続、および第２ピースと第３ピースとの接続が、編成によって無縫製に行なわれている形態を挙げることができる。
【０００９】
本発明の編地として、エッジ編地部は、開口部の周縁部よりも外方側に接続されている形態を挙げることができる。もちろん、エッジ編地部は、開口部の周縁部自体に接続されていても良い。
【００１０】
エッジ編地部が開口部の周縁部よりも外方側に接続されている本発明の編地として、ベース編地部におけるエッジ編地部の接続部から開口部の周縁部に至る縁部領域が、前後の針床を用いた両面編みによって編成されている形態を挙げることができる。
【００１１】
上記本発明の編地を編成するための編地の編成方法は、大別すると２つある。
【００１２】
まず、第１の本発明の編地の編成方法は、少なくとも前後一対の針床を備え、前後の針床間で編目の目移しが可能な横編機を用いて、開口部を有するベース編地部を編成すると共に、ベース編地部の編成途中に、開口部の周縁部近傍の位置でベース編地部に接続されるエッジ編地部を編成する編地の編成方法である。この本発明の編地の編成方法は、下記条件［α］〜［γ］に従ってエッジ編地部を、第１ピースと、第２ピースと、第３ピースと、に分けて編成することを特徴とする（各ピースの定義については、本発明の編地の説明を参照のこと）。
［α］第１ピースはベース編地部の裏側で、かつベース編地部に重複する位置で編成すると共に、第１ピースの編幅方向他端側の端部をベース編地部に繋げる。
［β］第２ピースはベース編地部の裏側で、かつベース編地部に重複する位置で編成すると共に、第２ピースの編幅方向一端側の端部をベース編地部に繋げる。
［γ］第３ピースはベース編地部の裏側で、かつベース編地部に重複する位置で編成すると共に、第３ピースのウエール方向一端側の端部をベース編地部に繋げる。
【００１３】
一方、第２の本発明の編地の編成方法は、上記第１の本発明の編地の編成方法における条件［α］〜［γ］を、下記条件［δ］〜［ζ］に入れ換えたことを特徴とする。
［δ］第１ピースの少なくとも一部は、ベース編地部の開口部に重複する位置で編成すると共に、第１ピースの編幅方向一端側の端部をベース編地部に繋げる。
［ε］第２ピースの少なくとも一部は、ベース編地部の開口部に重複する位置で編成すると共に、第２ピースの編幅方向他端側の端部をベース編地部に繋げる。
［ζ］第３ピースはベース編地部の裏側で、ベース編地部に重複する位置で編成すると共に、第３ピースのウエール方向一端側の端部をベース編地部に繋げる。
【００１４】
なお、第１の本発明の編地の編成方法、および第２の本発明の編地の編成方法では、ベース編地部のウエール方向の一端側から編出してウエール方向の他端側で編み終わっても良いし、上記他端側から編出して上記一端側で編み終わっても良い。前者の場合、第３ピースの始端部がベース編地部に接続され、後者の場合、第３ピースの始端部または終端部がベース編地部に接続される。
【発明の効果】
【００１５】
本発明の編地の編成方法では、エッジ編地部を、第１ピース、第２ピース、および第３ピースに分けて編成している。これらピースのうち、第１ピースのウエール方向他端側の端部と、第３ピースの編幅方向一端側の端部と、を接続し、第２ピースのウエール方向他端側の端部と、第３ピースの編幅方向他端側の端部と、を接続すれば、ベース編地部の開口部に立体的なエッジ編地部を備える本発明の編地とすることができる。各ピースの接続は、衣料用の接着テープによって行なっても良いし、縫製によって行なっても良いし、編成によって行なっても良い。特に、編成によって各ピースを無縫製で接続することで、エッジ編地部の見栄えが良く、各ピースの接続強度も高くなる。
【００１６】
ベース編地部における開口部の周縁部よりも外方側にエッジ編地部を接続した本発明の編地によれば、ベース編地部の裏側から開口部を介してベース編地部の表側に飛び出るエッジ編地部を備える編地とすることができる。例えば、後述する実施形態に示すように、この構成をニットウェアに応用し、ニットウェアの身頃をベース編地部、衿をエッジ編地部として編成すれば、身頃の内側から外側に衿が出た状態となり、一枚のニットウェアであるにも関わらず、恰も重ね着をしたような見栄えのニットウェアとなる。
【００１７】
ベース編地部におけるエッジ編地部の接続部から開口部の周縁部に至る縁部領域が両面編みによって編成される本発明の編地によれば、開口部の周縁部の強度を向上させることができる。
【図面の簡単な説明】
【００１８】
【図１】（Ａ）は実施形態１に示すセーターの概略図、（Ｂ）は（Ａ）のＢ−Ｂ断面図である。
【図２】（Ａ）はセーターのネックホール近傍を前側から見た拡大写真を示す図、（Ｂ）はネックホール近傍を後側から見た拡大写真を示す図である。
【図３】実施形態１に示すセーターの編成工程イメージ図である。
【図４】実施形態２に示すセーターの編成工程イメージ図である。
【発明を実施するための形態】
【００１９】
以下の実施形態では、左右方向に延び、かつ前後方向に互いに対向する一対の針床を備え、前後の針床間で編目の目移しが可能な２枚ベッド横編機を用いたＶネックセーターの編成例を説明する。もちろん、使用する横編機は２枚ベッド横編機に限定されるわけではなく、例えば４枚ベッド横編機であっても良い。
【００２０】
＜実施形態１＞
図１（Ａ）に示すセーター（編地）１００は、身頃１０Ｂと、右袖１０Ｒと、左袖１０Ｌと、からなるベース編地部１を備える。このセーター１００の身頃１０ＢにはＶネック型のネックホール（開口部）１０Ｈが形成され、かつそのネックホール１０Ｈには立体的に形成された折り衿（エッジ編地部）２が設けられている。なお、袖１０Ｒ，１０Ｌはオプションに過ぎないため、無くてもかまわない。また、ネックホール１０Ｈは、スクエアネック型でも良いし、ラウンドネック型でも良い。
【００２１】
セーター１００に設けられる衿２は、第１ピース２１と、第２ピース２２と、第３ピース２３と、からなり、これらのピース２１，２２，２３は個別に編成される。また、本実施形態における衿２は、図１（Ｂ）の断面図に示すように、身頃１０Ｂの内側におけるネックホール１０Ｈの周縁部よりも外方側の位置（周縁部からおよそ１〜１０目程度外方）に繋がっており、身頃１０Ｂの内側からネックホール１０Ｈを通って身頃１０Ｂの外側に延びている。そのため、図２（Ａ），（Ｂ）の拡大写真に示すように、一枚のセーター１００であるにも関わらず、恰も重ね着をしたような見栄えを備える。
【００２２】
≪編成手順≫
上記セーター１００は、図３の編成イメージ図に示すように、平面状に編成される。具体的には、セーター１００の身頃１０Ｂ（ベース編地部１）を構成する前身頃１０Ｂｆと後身頃１０Ｂｂとが、肩の部分（図中の二点鎖線を参照）では繋がっているが、脇腹の位置では繋がっていない状態で編成される。なお、袖の編成は、特許文献１に示すように公知であるため、図示・説明共に省略する。
【００２３】
図３では、紙面下側から上側に向かって編成が進行する。つまり、本実施形態のセーター１００は、前身頃１０Ｂｆの裾から編成を開始し、後身頃１０Ｂｂの裾で編成を終了している。このセーター１００は、領域Ｉ〜ＩＶの四つの領域に分けて編成される。図３の一点鎖線は、領域Ｉ〜ＩＶの境界を表しており、編成の要所となる位置に小文字アルファベットａ〜ｏを付している。この図３では、紙面下方、上方、左方、および右方をそれぞれ、身頃１０Ｂのウエール方向一端側９Ｂ、ウエール方向他端側９Ｔ、編幅方向一端側８Ｌ、および編幅方向他端側８Ｒとする。さらに、紙面手前側が、セーター１００の使用時に表となる側、紙面奥側が、裏となる側である。身頃１０Ｂ(ベース編地部１)の裏側で編成される部分については、点線で示す。
【００２４】
ここで、図３に示す編成では、ネックホール１０Ｈは前身頃１０Ｂｆの側に設けられているが、ネックホール１０Ｈの一部が後身頃１０Ｂｂに及んでいても良い。また、図３に示す編成では、第１ピース２１（第２ピース２２）のウエール方向一端側９Ｂの端部ｄ−ｅ（ｈ−ｉ）の位置と、ネックホール１０Ｈのウエール方向一端側９Ｂの端部ａの位置と、が揃っているが、両者の位置が揃っている必要はない。同様に、図３の編成では、第１ピース２１（第２ピース２２）のウエール方向他端側９Ｔの端部ｆ−ｇ（ｊ−ｋ）の位置と、ネックホール１０Ｈのウエール方向他端側９Ｔの端部ｂ−ｃの位置と、が揃っているが、両者の位置が揃っている必要はない。
【００２５】
［領域Ｉの編成］
領域Ｉは、前身頃１０Ｂｆにおける前身頃１０Ｂｆの裾から第１ピース２１と第２ピース２２の編成を開始する直前までの領域である。領域Ｉでは、前身頃１０Ｂｆのみを編成する。領域Ｉの前身頃１０Ｂｆの編組織は、特に限定されず、例えば天竺組織であっても良いし、ガーター組織、リブ組織、あるいはこれらの混合組織であっても良い。
【００２６】
［領域ＩＩの編成］
領域ＩＩは、前身頃１０Ｂｆと、第１ピース２１および第２ピース２２と、が編成される領域である。前身頃１０Ｂｆについては、編幅方向一端側８Ｌと他端側８Ｒとでそれぞれ別個の給糸口を用いて編成し、前身頃１０Ｂｆにネックホール１０Ｈを形成する。また、前身頃１０Ｂｆの編成に用いる給糸口とは別の給糸口を用いて、前身頃１０Ｂｆの裏側の位置で第１ピース２１および第２ピース２２を編成する。実際の編成では、前身頃１０Ｂｆの編幅方向一端側８Ｌの部分および第１ピース２１を１〜５段分編成することと、前身頃１０Ｂｆの編幅方向他端側８Ｒの部分および第２ピース２２を１〜５段分編成することと、を交互に繰り返すことが好ましい。各ピース２１，２２は、ウエール方向他端側９Ｔに向かうに従って編幅を大きくするように編成すると良い。なお、第１ピース２１は、その編幅方向一端側８Ｌの端部ｆが、前身頃１０Ｂｆの編幅方向一端側８Ｌの端部から外側にはみだす大きさとしても良い。当然、第２ピース２２の編幅方向他端側８Ｒの端部ｊも、前身頃１０Ｂｆの外側にはみだしていても良い。
【００２７】
第１ピース２１は、前身頃１０Ｂｆの裏側で、かつ前身頃１０Ｂｆに重複する位置で編出し（ｄ−ｅ参照）、以降、前身頃１０Ｂｆの裏側で、かつ前身頃１０Ｂｆに重複する位置で編成する。その際、第１ピース２１の編幅方向他端側８Ｒの端部ｅ−ｇをタックなどによって前身頃１０Ｂｆに接続することで、当該端部ｅ−ｇを前身頃１０Ｂｆに繋げると共に、その接続部ｅ−ｇ以外の部分は、前身頃１０Ｂｆに編み込まれないようにする（本発明方法の条件α相当）。一方、第２ピース２２も、前身頃１０Ｂｆの裏側で、かつ前身頃１０Ｂｆに重複する位置で編出し（ｈ−ｉ参照）、以降、前身頃１０Ｂｆの裏側で、かつ前身頃１０Ｂｆに重複する位置で編成する。その際、第２ピースの編幅方向一端側８Ｌの端部ｉ−ｋをタックなどによって前身頃１０Ｂｆに接続することで、当該端部ｅ−ｇを前身頃１０Ｂｆに繋げると共に、その接続部ｉ−ｋ以外の部分は、前身頃１０Ｂｆに編み込まれないようにする（本発明方法の条件β相当）。
【００２８】
ここで、第１ピース２１と第２ピース２２が前身頃１０Ｂｆに編み込まれないようにするには、横編機の前後の針床を使い分ければ良い。例えば、前身頃１０Ｂｆ、第１ピース２１、および第２ピース２２を天竺組織とする場合、前身頃１０Ｂｆは紙面手前側の前針床で編成し、第１ピース２１および第２ピース２２は紙面奥側の後針床で編成すれば良い。この場合、隣接する編目の間に空針が配置される針抜き編成によって前身頃１０Ｂｆ、第１ピース２１、および第２ピース２２を編成できる。また、空針を使うことで、前身頃１０Ｂｆ、第１ピース２１、および第２ピース２２をリブ組織などの表目と裏目とが混在する編組織とすることもできる。
【００２９】
上述した編成を繰り返し、ネックホール１０Ｈを形成しつつ、第１ピース２１と第２ピース２２を完成させたら、第１ピース２１（第２ピース２２）のウエール方向他端側９Ｔの端部ｆ−ｇ（ｊ−ｋ）は、伏目処理しても良いし、針床に係止したままとしても良い。本実施形態では、後者を選択した。その理由は、領域ＩＩＩの編成を説明する際に述べる。
【００３０】
その他、領域ＩＩの編成において、第１ピース２１の接続部ｅ−ｇ（第２ピース２２の接続部ｉ−ｋ）からネックホール１０Ｈの周縁部に至る縁部領域１０ＨＥは、前後の針床を用いた両面編みによって編成しても良い。両面編みとしては、袋編み、あるいはスムース編み（特開２０１２−１３２１０９号公報など）などを挙げることができる。縁部領域１０ＨＥを両面編みすることで、図１（Ａ）、図２（Ａ）に示すように、ネックホール１０Ｈの周縁部を補強することができる。また、領域ＩＩの編成では、ネックホール１０Ｈのウエール方向他端側９Ｔの部分の編成を容易にするために、ネックホール１０Ｈの位置で捨て編地（図示せず）を編成しておいても良い。
【００３１】
［領域ＩＩＩの編成］
領域ＩＩＩは、前身頃１０Ｂｆと、後身頃１０Ｂｂと、第３ピース２３と、が編成される領域である。領域ＩＩＩの編成では、まず前身頃１０Ｂｆを完成させる。ネックホール１０Ｈの位置に捨て編地を編成している場合、その捨て編地に抜き糸を編成し、その抜き糸のウエール方向に続いてネックホール１０Ｈのウエール方向他端側９Ｔの端部ｂ−ｃを編成する。そうすることで、前身頃１０Ｂｆを安定して編成することができる。
【００３２】
前身頃１０Ｂｆの編成が終了したら、前身頃１０Ｂｆのウエール方向他端側９Ｔの端部に続いて後身頃１０Ｂｂの編成を開始し、第３ピース２３を編成する直前まで後身頃１０Ｂｂを編成する。次いで、後身頃１０Ｂｂの編幅方向の中間部分で後身頃１０Ｂｂを分岐させ、第３ピース２３のウエール方向一端側９Ｂの端部ｌ−ｍを形成する。後身頃１０Ｂｂの分岐方法は、特に限定されず、例えば割増やしなどの公知の技術を利用することができる。
【００３３】
後身頃１０Ｂｂの一部を分岐させた後、後身頃１０Ｂｂを編成すると共に、後身頃１０Ｂｂの編成に用いる給糸口とは別の給糸口を用いて、後身頃１０Ｂｂの裏側で、かつ後身頃１０Ｂｂに重複する位置で第３ピース２３を編成する（本発明方法の条件γ相当）。つまり、後身頃１０Ｂｂから分岐する部分ｌ−ｍを始端部として第３ピース２３を編成する。実際の編成では、後身頃１０Ｂｂを１〜５段分編成することと、第３ピース２３を１〜５段分編成することと、を交互に繰り返すことが好ましい。第３ピース２３は、ウエール方向他端側９Ｔに向かうに従って編幅を大きくするように編成すると良い。第３ピース２３の編幅方向の両端部ｎ，ｏは、後身頃１０Ｂｂの外側にはみだしても良い。
【００３４】
ここで、第３ピース２３の編成の際、領域ＩＩの編成において針床に係止しておいた第１ピース２１（第２ピース２２）のウエール方向他端側９Ｔの端部ｇ−ｆ（ｋ−ｊ）に、第３ピース２３の編幅方向一端側８Ｌ（他端側８Ｒ）の端部ｌ−ｎ（ｍ−ｏ）を接続する。そうすることで、第１ピース２１および第２ピース２２と、第３ピース２３と、が無縫製で一体に編成される。第３ピース２３のウエール方向他端側９Ｔの端部ｎ−ｏは、公知の伏目処理によって針床から外す。端部ｎ−ｏは、第３ピース２３の終端部となる。
【００３５】
その他、領域ＩＩＩの編成において、第３ピース２３の接続部ｌ−ｍからネックホール１０Ｈの周縁部に至る縁部領域１０ＨＥを両面編みによって袋状の編地部とすることで、当該縁部領域１０ＨＥを補強しても良い。
【００３６】
［領域ＩＶの編成］
領域ＩＶは、後身頃１０Ｂｂにおける第３ピース３３の編成を終了した直後から後身頃１０Ｂｂの裾までの領域である。領域ＩＶでは、後身頃１０Ｂｂのみを編成する。後身頃１０Ｂｂの領域Ｉの編組織は、特に限定されず、例えば天竺組織であっても良いし、ガーター組織、リブ組織、あるいはこれらの混合組織であっても良い。後身頃１０Ｂｂを裾まで編成したら、後身頃１０Ｂｂの裾を伏目処理し、身頃１０Ｂを針床から外す。なお、ネックホール１０Ｈの編成を容易にするための捨て編地を編成した場合、捨て編地とネックホール１０Ｈの端部ｂ−ｃとの間に形成される抜き糸を外し、身頃１０Ｂから捨て編地を取り外す。
【００３７】
≪セーターの仕上げ≫
図３の編成手順に従って編成された前身頃１０Ｂｆと後身頃１０Ｂｂとを脇腹の位置で縫製し、筒状の身頃１０Ｂを完成させる。そして、身頃１０Ｂの筒の内側に配置される衿２を筒の外側で、ネックホール１０Ｈの外方側に向かって折り返す。その結果、図１（Ａ）、および図２（Ａ）,（Ｂ）に示すように、身頃１０Ｂの内側から外側に衿２が出た状態となったセーター１００が完成する。
【００３８】
＜実施形態２＞
実施形態２では、実施形態１とは第１ピースと第２ピースの編成手順が異なるセーターの編成方法を図４に基づいて説明する。実施形態２のセーターにおいても、領域Ｉ〜領域ＩＶに分けて編成される。領域Ｉおよび領域ＩＶの編成は、実施形態１と全く同じである。また、領域ＩＩＩの編成も、実施形態１と殆ど同じである。以下、実施形態１との相違点を中心に説明する。
【００３９】
≪編成手順≫
［領域ＩＩの編成］
実施形態２における領域ＩＩの編成では、第１ピース３１と第２ピース３２の編幅方向の自由端が、ネックホール１０Ｈの側に配置されている。具体的には、前身頃１０Ｂｆと第１ピース３１とを連続して編成することで、第１ピース３１の編幅方向一端側８Ｌの端部ｅ−ｇと、前身頃１０Ｂｆと、が繋がるようにすると共に、第１ピース３１の編幅方向他端側８Ｒの一部は、ネックホール１０Ｈに重複する位置で編成する（本発明方法の条件δ相当）。また、前身頃１０Ｂｆと第２ピース３２とを連続して編成し、第２ピース３２の編幅方向他端側８Ｒの端部ｉ−ｋと、前身頃１０Ｂｆと、が繋がるようにすると共に、第２ピース３２の編幅方向一端側８Ｌの一部は、ネックホール１０Ｈに重複する位置で編成する（本発明方法の条件ε相当）。ここで、第１ピース３１と第２ピース３２とは編幅方向に重複していても構わない。その場合、例えば、重複領域における第１ピース３１を前針床で、第２ピース３２を後針床で編成すれば良い。
【００４０】
領域ＩＩの編成が終了した後、第１ピース３１（第２ピース３２）のウエール方向他端側９Ｔの端部ｆ−ｇ（ｊ−ｋ）のうち、ネックホール１０Ｈに重複する部分に抜き糸を編成しても良い。そうすることで、次の領域ＩＩＩにおける前身頃１０Ｂｆのラインｂ−ｃを安定して編成することができる。
【００４１】
［領域ＩＩＩの編成］
領域ＩＩＩの編成では、前身頃１０Ｂｆを編成しつつネックホール１０Ｈを完成させ、さらに、後身頃１０Ｂｂを編成すると共に、後身頃１０Ｂｂの裏側で第３ピース３３を編成する（本発明の条件ζ相当）。第３ピース３３は、後身頃１０Ｂｂから分岐して編出される。第３ピース３３の編成の際、分岐した編目列を始端部とし、増し目を行ないながら第３ピース３３の編幅を増やす。第３ピース３３のウエール方向他端側９Ｔの端部（終端部）ｎ−ｏは伏目処理によって針床から外す。
【００４２】
なお、領域ＩＩ，ＩＩＩの編成において、縁部領域１０ＨＥを両面編みにより編成することで、当該縁部領域１０ＨＥを補強しても良い。縁部領域１０ＨＥの定義については実施形態１と同じである。
【００４３】
≪セーターの仕上げ≫
図４の編成手順に従って編成された前身頃１０Ｂｆと後身頃１０Ｂｂとを脇腹の位置で縫製し、筒状の身頃１０Ｂを完成させる。また、身頃１０Ｂの筒の内側に配置される第１ピース３１、第２ピース３２、および第３ピース３３を筒の外側で、ネックホール１０Ｈの外方側に向かって折り返す。そして、第１ピース３１のウエール方向他端側９Ｔの端部ｇ−ｆと、第３ピース３３の編幅方向一端側８Ｌの端部ｌ−ｎと、を接続すると共に、第２ピース３２のウエール方向他端側９Ｔの端部ｋ−ｊと、第３ピース３３の編幅方向他端側８Ｒの端部ｍ−ｏと、を接続する。この接続は、衣料用の接着テープにより行なっても良いし、縫製により行なっても良い。なお、各ピース３１，３３（３２，３３）の接続は、別個に編成した衿と身頃とをリンキングするよりも遥かに容易に行なうことができる。各ピース３１，３２，３３は既に、身頃１０Ｂに固定されているからである。
【００４４】
以上説明した実施形態２によっても、図１（Ａ）、および図２（Ａ）,（Ｂ）に示す実施形態１のセーター１００と同様に、身頃１０Ｂの内側から外側に衿２が出た状態となったセーター１００を得ることができる。
【００４５】
＜実施形態３＞
実施形態１，２では、前身頃１０Ｂｆの裾から編成を開始し、後身頃１０Ｂｂの裾で編成を終了する手順を説明した。これに対して、後身頃１０Ｂｂの裾から編成を開始し、前身頃１０Ｂｆの裾で編成を終了しても良い。
【００４６】
例えば、実施形態１の図３における後身頃１０Ｂｂの裾から編成を開始し、領域ＩＶの後身頃１０Ｂｂを編成する。次いで、領域ＩＩＩの後身頃１０Ｂｂを編成すると共に、後身頃１０Ｂｂの裏側で第３ピース２３を編成する（第３ピース２３の端部ｎ−ｏは始端部または終端部のいずれとすることもできる）。端部ｎ−ｏを始端部とする場合、第３ピース２３の終端部ｌ−ｍの位置で後身頃１０Ｂｂと第３ピース２３とを接合し、さらに後身頃１０Ｂｂの残りを編成した後、領域ＩＩＩと領域ＩＩとの境界位置まで前身頃１０Ｂｆを編成する。一方、端部ｎ−ｏを終端部とする場合、後身頃１０Ｂｂをラインｌ−ｍの位置まで編成した後、一旦、後身頃１０Ｂｂの編成を休止する。そして、後身頃１０Ｂｂのラインｌ−ｍから編目を分岐させ、徐々に編幅を増やしながら第３ピース２３を編成し、第３ピース２３を完成させる（この場合、端部ｎ−ｏが第３ピース２３の終端部になる）。ここで、第３ピース２３の編幅方向一端側８Ｌの端部ｎ−ｌと、編幅方向他端側８Ｒの端部ｏ−ｍと、を掛け目とし、針床に係止させておく。もちろん、両端部ｎ−ｌ，ｏ−ｍは、針床から外しておいても良い。
【００４７】
次に、領域ＩＩの前身頃１０Ｂｆを編成すると共に、前身頃１０Ｂｆの裏側で第１ピース２１と第２ピース２２とを編成する。ここで、第３ピース２３の編幅方向両端部ｎ−ｌ，ｏ−ｍが針床に係止されている場合、各端部ｎ−ｌ，ｏ−ｍのウエール方向に連続して第１ピース２１と第２ピース２２を編成すれば、第３ピース２３と、第１ピース２１および第２ピース２２と、が無縫製で一体に編成される。他方、第３ピース２３の編幅方向両端部ｎ−ｌ，ｏ−ｍを針床から外している場合、前身頃１０Ｂｆの裏側で、第１ピース２１と第２ピース２２を端部（始端部）ｆ−ｇ，ｊ−ｋから編出せば良い。いずれの場合も、第１ピース２１と第２ピース２２の端部（終端部）ｄ−ｅ，ｈ−ｉは、公知の伏目処理によって針床から外す。
【００４８】
最後に、領域Ｉの前身頃１０Ｂｆを裾まで編成し、伏目処理によって身頃１０Ｂを針床から外す。そして、前身頃１０Ｂｆと後身頃１０Ｂｂとを脇腹の位置で縫製し、衿２を身頃１０Ｂの内側から外側に折り返す。そうすることで、図２（Ａ），（Ｂ）とは編目の向きが逆方向に向いたセーター１００を編成することができる。
【００４９】
なお、図４を参照する実施形態２のセーターについても、領域ＩＶから領域Ｉに向かって編成することができる。
【００５０】
＜実施形態４＞
上記実施形態１〜３では、身頃１０Ｂのネックホール１０Ｈの周縁部よりも外方側の位置に衿２（３）を接続したが、当該周縁部に衿２（３）を接続しても構わない。例えば、図３を参照する実施形態１であれば、第１ピース２１の端部ｅ−ｇとネックホール１０Ｈの端部ａ−ｂとが一致するように第１ピース２１を編成し、第２ピース２２の端部ｉ−ｋとネックホール１０Ｈの端部ａ−ｃとが一致するように第２ピース２２を編成し、第３ピース２３の端部ｌ−ｍとネックホール１０Ｈの端部ｂ−ｃとが一致するように第３ピース２３を編成する。
【００５１】
＜その他＞
本発明の編地の編成方法を適用する対象は、セーターなどのニットウェアに限定されない。例えば、ティッシュボックスに被せるカバーなどの編成に本発明の編地の編成方法を利用しても良い。その場合、カバーにおけるティッシュの取り出し口（開口部）の周縁部に立体的なエッジ編地部を形成できる。
【符号の説明】
【００５２】
１００  セーター（編地）
１０Ｂ  身頃  １０Ｂｆ  前身頃  １０Ｂｂ  後身頃
１０Ｒ  右袖  １０Ｌ  左袖
１０Ｈ  ネックホール（開口部）  １０ＨＥ  縁部領域
１  ベース編地部
２，３  衿（エッジ編地部）
２１，３１  第１ピース  ２２，３２  第２ピース  ２３，３３  第３ピース
８Ｌ  編幅方向一端側  ８Ｒ  編幅方向他端側
９Ｂ  ウエール方向の一端側  ９Ｔ  ウエール方向の他端側
【図１】
2014080696.tif 000003
【図３】
2014080696.tif 000004
【図４】
2014080696.tif 000005
【図２】
2014080696.tif 000006